(57)【要約】【課題】除去ローラを供給部に対して円滑に組み付けることができる画像形成装置を提供すること。【解決手段】  給紙ユニット９のフレーム３１に、紙粉除去ローラ２５をレジストローラ２４に対向するように案内するガイド部３７を、その上端部が開放されるように形成し、紙粉除去ユニット３２をフレーム３１に対して水平に保持した状態で、紙粉除去ローラ２５の左右方向両端部のそれぞれを、１対のサイドフレーム３４のそれぞれのガイド部３７に、上側から嵌合させ、その後、紙粉除去ローラ２５をレジストローラ２４に対向させた後に、支持部材６１を、ガイド部３７の上端部を覆うように支持部材収容部３６に組み付ける。【選択図】図４
2014145997.tif 000002
【特許請求の範囲】
【請求項１】
記録媒体に画像を形成するように構成される画像形成部を支持する筐体と、
前記筐体内に支持され、前記画像形成部に記録媒体を供給するように構成される供給部と
を備え、
前記供給部は、
記録媒体を搬送するように構成される搬送ローラと、
記録媒体に付着している付着物を除去するように構成される除去ローラを有し、前記除去ローラが前記搬送ローラに対向される除去ユニットと、
前記除去ローラを前記搬送ローラへ向かって付勢する付勢部材と、
前記付勢部材を支持する支持部材と、
前記除去ローラを前記搬送ローラに対向するように案内するガイド部と
を有し、
前記ガイド部は、前記除去ローラの軸方向と直交する方向に開放された開放端部を有し、
前記支持部材は、前記開放端部を覆うように前記筐体に支持される
ことを特徴とする、画像形成装置。
【請求項２】
前記筐体は、前記ガイド部の前記開放端部に連通され、前記支持部材を収容する支持部材収容部を有し、
前記支持部材は、前記付勢部材に対して反対側へ突出し、その突出方向と交差する当接面を有する当接部を備え、
前記支持部材収容部は、前記当接面が延びる方向と略平行に延び、前記当接面が延びる方向と交差する方向において前記当接面と当接する位置決め部を備える
ことを特徴とする、請求項１に記載の画像形成装置。
【請求項３】
前記筐体は、
前記筐体の内外を連通する開口と、
前記開口を開閉する開閉部材と、
前記支持部材に当接する当接位置と、前記支持部材に対する当接が解除される解除位置とに移動するように構成される移動部材と
を有し、
前記移動部材は、前記開閉部材が前記開口を閉鎖する動作に連動して前記当接位置に配置され、前記開閉部材が前記開口を開放する動作に連動して前記解除位置に配置され、
前記支持部材は、前記移動部材が前記当接位置に配置されたときに、前記搬送ローラに向かう方向へ移動し、前記移動部材が前記解除位置に配置されたときに、前記搬送ローラから離れる方向へ移動する
ことを特徴とする、請求項２に記載の画像形成装置。
【請求項４】
前記筐体は、前記開閉部材と前記移動部材とを連動させるための連動機構を備える
ことを特徴とする、請求項３に記載の画像形成装置。
【請求項５】
前記支持部材は、前記当接面が延びる方向と略直交する方向に延びる第２当接部を備え、
前記支持部材収容部は、前記当接面が延びる方向と略直交する方向に延び、前記第２当接部と当接する第２位置決め部を備える
ことを特徴とする、請求項２に記載の画像形成装置。
【請求項６】
前記位置決め部と前記第２位置決め部とは、連続して一体的に形成されており、
前記当接部と前記第２当接部との境界部分には、前記当接面が延びる方向とは反対側に凹む凹部が形成されている
ことを特徴とする、請求項５に記載の画像形成装置。
【請求項７】
前記支持部材は、前記当接部に対して前記第２当接部と反対側に延びる第３当接部を備え、
前記支持部材収容部は、前記当接面が延びる方向と略直交する方向に延び、前記第３当接部と当接する第３位置決め部を備える
ことを特徴とする、請求項５または６に記載の画像形成装置。
【請求項８】
前記支持部材収容部は、前記支持部材が挿入される挿入開口を有する
ことを特徴とする、請求項２ないし７のいずれか一項に記載の画像形成装置。
【請求項９】
前記支持部材は、前記当接部と反対側において前記当接面が延びる方向に沿って突出し弾性変形可能な突出部を備える
ことを特徴とする、請求項８に記載の画像形成装置。
【請求項１０】
前記ガイド部は、
前記除去ローラを案内する案内方向の上流側に形成される第１ガイド部と、
前記第１ガイド部の前記案内方向下流側に連続して形成され、前記第１ガイド部よりも幅が狭い第２ガイド部と
を備える
ことを特徴とする、請求項１ないし９のいずれか一項に記載の画像形成装置。
【請求項１１】
前記供給部は、前記記録媒体の搬送経路を構成するフレームを備え、
前記ガイド部は、前記フレームに設けられている
ことを特徴とする、請求項１ないし１０のいずれか一項に記載の画像形成装置。
【発明の詳細な説明】
【技術分野】
【０００１】
本発明は、記録媒体に画像を形成する画像形成装置に関する。
【背景技術】
【０００２】
画像形成装置として、記録媒体に画像を形成する画像形成部と、画像形成部に記録媒体を供給するように構成される供給部とを備える画像形成装置が知られている。
【０００３】
例えば、レジスト駆動ローラと紙粉除去ローラとを有し、画像形成部に用紙を給送する給紙部を備えるカラーレーザプリンタが提案されている（たとえば、下記特許文献１参照）。
【先行技術文献】
【特許文献】
【０００４】
【特許文献１】特開２０１２−２０６８０５号公報
【発明の概要】
【発明が解決しようとする課題】
【０００５】
しかるに、上記した特許文献１に記載されるカラーレーザプリンタでは、紙粉除去ローラは、紙粉収容ボックス内に支持されるとともに、その端部において、給紙部のサイドフレームの軸受ガイド溝に支持されている。
【０００６】
ここで、軸受ガイド溝は、レジスト駆動ローラと紙粉除去ローラとの軸間方向に長手の略長方形状の貫通孔である。つまり、レジスト駆動ローラと紙粉除去ローラとの軸間方向において、軸受ガイド溝の両端部は閉鎖されている。
【０００７】
そのため、この紙粉除去ローラをフレームに組み付けるには、紙粉収容ボックスをフレームに対して斜めに保持した状態で、紙粉除去ローラの端部を軸受ガイド溝に挿入することとなり、給紙部の組み立て作業を円滑に実施することが困難な場合がある。
【０００８】
そこで、本発明の目的は、除去ローラを筐体に対して円滑に組み付けることができる画像形成装置を提供することにある。
【課題を解決するための手段】
【０００９】
（１）上記した目的を達成するために、本発明の画像形成装置は、記録媒体に画像を形成するように構成される画像形成部を支持する筐体と、筐体内に支持され、画像形成部に記録媒体を供給するように構成される供給部とを備える。
【００１０】
供給部は、記録媒体を搬送するように構成される搬送ローラと、記録媒体に付着している付着物を除去するように構成される除去ローラを有し、除去ローラが搬送ローラに対向される除去ユニットと、除去ローラを搬送ローラへ向かって付勢する付勢部材と、付勢部材を支持する支持部材と、除去ローラを搬送ローラに対向するように案内するガイド部とを有する。
【００１１】
ガイド部は、除去ローラの軸方向と直交する方向に開放された開放端部を有する。
【００１２】
支持部材は、開放端部を覆うように前記筐体に支持される。
【００１３】
このような構成によれば、除去ローラを筐体に組み付けるときには、まず、除去ローラの端部を、ガイド部の開放端部を通過するようにガイド部内に受け入れて、その後、ガイド部内をスライドさせることができる。そして、除去ローラを搬送ローラに対向させた後に、開放端部を覆うように支持部材を組み付けるとともに、付勢部材を組み付けて、除去ローラを筐体に組み付けることができる。
【００１４】
つまり、除去ローラを、開放端部を利用して容易にガイド部内に受け入れて搬送ローラに対向させることができる。
【００１５】
その結果、除去ローラを筐体に対して円滑に組み付けることができる。
（２）筐体は、ガイド部の開放端部に連通され、支持部材を収容する支持部材収容部を有してもよい。また、支持部材は、付勢部材に対して反対側へ突出し、その突出方向と交差する当接面を有する当接部を備えてもよい。この場合、支持部材収容部は、当接面が延びる方向と略平行に延び、当接面が延びる方向と交差する方向において当接面と当接する位置決め部を備えてもよい。
【００１６】
このような構成によれば、支持部材の当接部を支持部材収容部の位置決め部に当接させて、当接面が延びる方向と交差する方向において、支持部材を位置決めすることができる。
【００１７】
そのため、当接面が延びる方向と交差する方向において支持部材ががたつくことを抑制することができる。
【００１８】
その結果、付勢部材を除去ローラに対して確実に位置決めすることができ、付勢部材によって除去ローラを確実に付勢することができる。
（３）筐体は、筐体の内外を連通する開口と、開口を開閉する開閉部材と、支持部材に当接する当接位置と、支持部材に対する当接が解除される解除位置とに移動するように構成される移動部材とを有してもよい。この場合、移動部材は、開閉部材が開口を閉鎖する動作に連動して当接位置に配置され、開閉部材が開口を開放する動作に連動して解除位置に配置されてもよい。また、支持部材は、移動部材が当接位置に配置されたときに、搬送ローラに向かう方向へ移動し、移動部材が解除位置に配置されたときに、搬送ローラから離れる方向へ移動してもよい。
【００１９】
このような構成によれば、開閉部材の閉動作に連動して支持部材を搬送ローラに向かって移動させて、付勢部材の付勢力によって除去ローラを搬送ローラに対して圧接することができる。
【００２０】
そのため、画像形成動作において、記録媒体を確実に搬送することができる。
【００２１】
また、開閉部材の開動作に連動して支持部材を搬送ローラから退避させて、除去ローラに対する付勢部材の付勢力を低減し、除去ローラの搬送ローラに対する押圧力を低減することができる。
【００２２】
そのため、除去ローラの搬送ローラとの間に記録媒体が詰まった場合には、開口を開放して、詰まった記録媒体を容易に除去できる。
（４）筐体は、開閉部材と移動部材とを連動させるための連動機構を備えてもよい。
【００２３】
このような構成によれば、開閉部材と移動部材とを確実に連動させることができる。
（５）支持部材は、当接面が延びる方向と略直交する方向に延びる第２当接部を備えてもよい。この場合、支持部材収容部は、当接面が延びる方向と略直交する方向に延び、第２当接部と当接する第２位置決め部を備えてもよい。
【００２４】
このような構成によれば、支持部材の第２当接部を支持部材収容部の第２位置決め部に当接させて、当接面が延びる方向において支持部材を位置決めすることができる。
【００２５】
そのため、当接面が延びる方向において支持部材ががたつくことを抑制することができる。
【００２６】
その結果、付勢部材を除去ローラに対してより確実に位置決めすることができ、付勢部材によって除去ローラをより確実に付勢することができる。
（６）位置決め部と第２位置決め部とは、連続して一体的に形成されていてもよい。この場合、当接部と第２当接部との境界部分には、当接面が延びる方向とは反対側に凹む凹部が形成されていてもよい。
【００２７】
このような構成によれば、当接面が延びる方向と略平行に延びる位置決め部と、当接面が延びる方向と略直交する方向に延びる第２位置決め部とが連続している。つまり、支持部材収容部は、位置決め部と第２位置決め部との連続部分において、略直角に形成されている。
【００２８】
一般に、このような連続部分を精度よく略直角に形成することは困難であるため、支持部材を支持部材収容部に対して位置決めするときに、位置決め部と第２位置決め部との連続部分が、当接部と第２当接部との境界部分に干渉する場合がある。位置決め部と第２位置決め部との連続部分が、当接部と第２当接部との境界部分に干渉すると、位置決め部に対する当接部の当接と、第２位置決め部に対する第２当接部の当接とを同時に実現することが困難となる場合がある。
【００２９】
しかし、この支持部材には、当接部と第２当接部との境界部分において、凹部が形成されている。
【００３０】
そのため、支持部材を支持部材収容部に対して位置決めするときに、位置決め部と第２位置決め部との連続部分を凹部内に受け入れることができ、位置決め部と第２位置決め部との連続部分が、当接部と第２当接部との境界部分に干渉することを抑制できる。
【００３１】
これにより、位置決め部に対する当接部の当接と、第２位置決め部に対する第２当接部の当接とを同時に実現することができる。
【００３２】
その結果、支持部材を支持部材収容部に対して精度よく位置決めすることができる。
（７）支持部材は、当接部に対して第２当接部と反対側に延びる第３当接部を備えてもよい。この場合、支持部材収容部は、当接面が延びる方向と略直交する方向に延び、第３当接部と当接する第３位置決め部を備えてもよい。
【００３３】
このような構成によれば、支持部材の第３当接部を支持部材収容部の第３位置決め部に当接させて、当接面が延びる方向において、さらに支持部材を位置決めすることができる。
【００３４】
そのため、当接面が延びる方向において支持部材ががたつくことをより抑制することができる。
【００３５】
その結果、付勢部材を除去ローラに対してより一層確実に位置決めすることができ、付勢部材によって除去ローラをより一層確実に付勢することができる。
（８）支持部材収容部は、支持部材が挿入される挿入開口を有してもよい。
【００３６】
このような構成によれば、支持部材を、挿入開口を介して容易に支持部材収容部内に挿入することができる。
（９）支持部材は、当接部と反対側において当接面が延びる方向に沿って突出し弾性変形可能な突出部を備えてもよい。
【００３７】
このような構成によれば、支持部材を支持部材収容部内に挿入するときに、突出部を弾性変形させながら挿入開口に挿入し、支持部材が支持部材収容部材に挿入された後に、突出部を弾性的に復元させることができる。
【００３８】
そのため、支持部材が支持部材収容部内に挿入された後には、突出部を挿入開口の周縁部に干渉させて、支持部材が支持部材収容部から離脱することを防止できる。
（１０）ガイド部は、除去ローラを案内する案内方向の上流側に形成される第１ガイド部と、第１ガイド部の案内方向下流側に連続して形成され、第１ガイド部よりも幅が狭い第２ガイド部とを備えてもよい。
【００３９】
このような構成によれば、ガイド部によって除去ローラを案内するときには、まず、比較的幅広な第１ガイド部に、除去ローラを円滑に受け入れることができる。
【００４０】
その後、除去ローラを、第１ガイド部に沿って比較的幅狭な第２ガイド部内に受け入れて、除去ローラを搬送ローラに対して位置決めすることができる。
【００４１】
その結果、除去ローラをガイド部に対して円滑に受け入れることができながら、除去ローラを搬送ローラに対して確実に位置決めすることができる。
（１１）供給部は、記録媒体の搬送経路を構成するフレームを備えてもよい。この場合、ガイド部は、フレームに設けられていてもよい。
【００４２】
このような構成によれば、ガイド部と搬送経路とがともにフレームに設けられているので、除去ローラを搬送経路に対して精度よく位置決めすることができる。
【発明の効果】
【００４３】
本発明の画像形成装置によれば、除去ローラを筐体に対して円滑に組み付けることができる。
【図面の簡単な説明】
【００４４】
【図１】図１は、本発明の画像形成装置の第１実施形態としてのプリンタを示す中央断面図である。
【図２】図２は、図１に示す給紙ユニットの右前側から見た斜視図である。
【図３】図３は、図２に示す給紙ユニットのＡ−Ａ断面図である。
【図４】図４は、図２に示す給紙ユニットの組み立て作業を説明する説明図であって、フレームに紙粉除去ユニットを組み付ける工程を示す。
【図５】図５は、図４に示すフレームのＢ−Ｂ断面図を示す。
【図６】図６は、図４に続いて給紙ユニットの組み立て作業を説明する説明図であって、フレームに押圧部材を組み付ける工程を示す。
【図７】図７は、図６に示す支持部材を示し、図７Ａは、前上側から見た斜視図であり、図７Ｂは、前下側から見た斜視図である。
【図８】図８は、図７に示す支持部材の組み付け作業を説明する説明図であって、図８Ａは、支持部材の後端部を支持部材収容部に挿入した状態を示し、図８Ｂは、図８Ａに続き、支持部材の前端部を支持部材収容部の下側内周面に押しつけながら、支持部材をさらに支持部材収容部内に挿入した状態を示し、図８Ｃは、図８Ｂに続き、支持部材収容部に対する支持部材の組み付け作業が完了した状態を示す。
【図９】図９は、図８に続いて給紙ユニットの組み立て作業を説明する説明図であって、フレームに圧縮ばねを組み付ける工程を示す。
【図１０】図１０は、第２実施形態における給紙ユニットを説明する説明図であって、トップカバーが閉鎖された状態における紙粉除去ローラの付勢状態を示し、給紙ユニットの左端部の背面図である。なお、図１０では、実線で囲まれた部分を断面図として示している。
【図１１】図１１は、図１０に示す給紙ユニットのＣ−Ｃ断面図である。
【図１２】図１２は、第２実施形態における給紙ユニットを説明する説明図であって、トップカバーが開放された状態における紙粉除去ローラの付勢状態を示し、給紙ユニットの左端部の背面図である。なお、図１２では、実線で囲まれた部分を断面図として示している。
【００４５】
【図１３】図１３は、図１２に示す給紙ユニットのＤ−Ｄ断面図である。
【発明を実施するための形態】
【００４６】
１．プリンタの全体構成
図１に示すように、画像形成装置の一例としてのプリンタ１は、横置きタイプのダイレクトタンデム型カラープリンタである。
【００４７】
なお、以下の説明において、プリンタ１の方向に言及するときには、プリンタ１を水平に載置した状態を上下の基準とする。すなわち、図１の紙面上側が上側であり、紙面下側が下側である。また、図１の紙面左側が前側であり、図１の紙面右側が後側である。また、プリンタ１を前側から見たときを左右の基準とする。すなわち、図１の紙面手前側が右側であり、紙面奥側が左側である。
【００４８】
プリンタ１は、略ボックス形状の筐体の一例としての本体ケーシング２を備えている。本体ケーシング２の上端部には、開口の一例としての本体開口部３を開閉する開閉部材の一例としてのトップカバー４が、その後端部を支点として揺動可能に設けられている。プリンタ１は、本体ケーシング２内において、供給部の一例としての給紙ユニット９と、複数の画像形成部の一例としてのプロセスユニット５と、複数のＬＥＤユニット６と、転写ユニット７と、定着ユニット８とを備えている。
【００４９】
給紙ユニット９は、本体ケーシング２の前下側端部内に配置されている。給紙ユニット９は、ピックアップローラ１０と、搬送ローラの一例としてのレジストローラ２４と、除去ローラの一例としての紙粉除去ローラ２５とを備えている。
【００５０】
ピックアップローラ１０は、給紙ユニット９の下端部において、後述する給紙トレイ２２の前端部の上側に配置されている。
【００５１】
レジストローラ２４は、給紙ユニット９の上端部に回転可能に支持されている。レジストローラ２４は、軸方向の一例としての左右方向に延びる略円柱形状に形成されている。
【００５２】
紙粉除去ローラ２５は、レジストローラ２４の前上側に対向配置され、回転可能に支持されている。紙粉除去ローラ２５は、左右方向に延びる略円柱形状に形成されている。
【００５３】
すべてのプロセスユニット５は、本体ケーシング２内に着脱可能に設けられている。また、複数のプロセスユニット５は、それぞれ、イエロー、マゼンタ、シアン、ブラックのうちの１つに対応し、前後方向に互いに間隔を隔てて並列配置されている。
【００５４】
プロセスユニット５は、感光ドラム１１と、スコロトロン型帯電器１２と、現像ローラ１３と、供給ローラ１４とを備えている。
【００５５】
感光ドラム１１は、左右方向に長手の略円筒形状に形成されており、プロセスユニット５の後下側端部に回転可能に設けられている。
【００５６】
スコロトロン型帯電器１２は、感光ドラム１１の後上側に間隔を隔てて対向配置されている。
【００５７】
現像ローラ１３は、感光ドラム１１の前上側において、感光ドラム１１に接触されるように回転可能に支持されている。現像ローラ１３は、左右方向に延びる略円柱形状に形成されている。
【００５８】
供給ローラ１４は、現像ローラ１３の前上側において、現像ローラ１３に接触されるように回転可能に支持されている。供給ローラ１４は、左右方向に延びる略円柱形状に形成されている。
【００５９】
また、プロセスユニット５は、現像ローラ１３に供給されたトナーの厚みを規制する層厚規制ブレード１５を備えている。また、プロセスユニット５には、現像ローラ１３および供給ローラ１４の上側において、トナーが収容されている。
【００６０】
複数のＬＥＤユニット６のそれぞれは、複数のプロセスユニット５の感光ドラム１１の上側にそれぞれ対向配置されている。
【００６１】
転写ユニット７は、複数のプロセスユニット５の下側に対向配置されている。転写ユニット７は、駆動ローラ１６、従動ローラ１７、搬送ベルト１８、および、複数の転写ローラ１９を備えている。
【００６２】
駆動ローラ１６は、転写ユニット７の後端部に回転可能に支持されている。
【００６３】
従動ローラ１７は、転写ユニット７の前端部に回転可能に支持されている。
【００６４】
搬送ベルト１８は、その上側部分がすべての感光ドラム１１に下側から接触されるように、駆動ローラ１６および従動ローラ１７の周りに掛け渡されている。搬送ベルト１８は、駆動ローラ１６の駆動、および、従動ローラ１７の従動により、その上側部分が前側から後側に向かって移動するように、周回移動される。
【００６５】
複数の転写ローラ１９のそれぞれは、複数の感光ドラム１１のそれぞれの下側において、搬送ベルト１８の上側部分を挟むように対向配置されている。
【００６６】
定着ユニット８は、転写ユニット７の後側に対向配置されている。定着ユニット８は、加熱ローラ２０と、加熱ローラ２０に対向する加圧ローラ２１とを備えている。
【００６７】
そして、プリンタ１に印刷ジョブが入力されると、画像形成動作が開始される。すると、プロセスユニット５内のトナーは、供給ローラ１４と現像ローラ１３との間で正極性に摩擦帯電され、層厚規制ブレード１５により、一定厚さの薄層として現像ローラ１３の表面に担持される。
【００６８】
一方、感光ドラム１１の表面は、スコロトロン型帯電器１２によって一様に正極性に帯電された後、ＬＥＤユニット６によって所定の画像データに基づいて露光される。これにより、感光ドラム１１の表面には、画像データに基づく静電潜像が形成される。そして、現像ローラ１３に担持されるトナーが感光ドラム１１の表面上の静電潜像に供給されることにより、感光ドラム１１の表面上にトナー像が担持される。
【００６９】
記録媒体の一例としての用紙Ｐは、本体ケーシング２の底部に設けられる給紙トレイ２２内に収容されており、ピックアップローラ１０の回転によってピックアップされた後、各種ローラによって後上側へＵターンするように搬送されて、レジストローラ２４の駆動、および、紙粉除去ローラ２５の従動により、所定のタイミングで１枚ずつ、感光ドラム１１と搬送ベルト１８との間に給紙される。このとき、用紙Ｐの印刷面に付着している紙粉などの付着物は、紙粉除去ローラ２５に付着し、用紙Ｐの印刷面から除去される。そして、搬送ベルト１８によって、すべての感光ドラム１１とすべての転写ローラ１９との間を前側から後側に向かって搬送される。このとき、転写ローラ１９に印加される転写バイアスにより、用紙Ｐにトナー像が転写される。
【００７０】
そして、用紙Ｐは、加熱ローラ２０と加圧ローラ２１との間を通過するときに加熱および加圧される。このとき、用紙Ｐには、トナー像が熱定着される。
【００７１】
その後、用紙Ｐは、前上側へＵターンするように搬送されて、トップカバー４に設けられる排紙トレイ２３に排紙される。
２．給紙ユニット
給紙ユニット９は、図２および図３に示すように、フレーム３１と、除去ユニットの一例としての紙粉除去ユニット３２と、押圧部材３３とを備えている。
（１）フレーム
フレーム３１は、図４に示すように、左右方向に長手の略角柱形状に形成されている。フレーム３１は、左右１対のサイドフレーム３４と、レジストローラ２４と、搬送フレーム３５とを備えている。
【００７２】
１対のサイドフレーム３４のそれぞれは、フレーム３１の左右両端部に１つずつ設けられている。サイドフレーム３４は、上下方向に延びる略角柱形状に形成されている。サイドフレーム３４は、側板３０を備えている。
【００７３】
側板３０は、サイドフレーム３４の左右方向内壁を構成し、上下方向に延びる側面視略矩形状に形成されている。側板３０は、支持部材収容部３６と、ガイド部３７と、ボス支持部３８とを有している。
【００７４】
支持部材収容部３６は、図３に示すように、側板３０の上端部に配置されている。支持部材収容部３６は、その前端部が開放され、その後端部が閉鎖された略角筒形状に形成されている。言い換えると、支持部材収容部３６の前端部には、挿入開口４８が形成されている。支持部材収容部３６は、受入部４１と、嵌合部３９と、係合部４０とを備えている。
【００７５】
受入部４１は、支持部材収容部３６の前後方向略中央部に配置されている。受入部４１は、支持部材収容部３６を上下方向すべてにわたって切欠くように、平面視略矩形状に形成されている。受入部４１の前後方向長さは、紙粉除去ユニット３２の後述する軸受部の前後方向長さよりも長い。
【００７６】
嵌合部３９は、支持部材収容部３６の後壁の下端部において、その内面から後側へ凹むように、断面視略矩形状に形成されている。嵌合部３９の上側内周面４７は、前後方向に延びている。
【００７７】
係合部４０は、支持部材収容部３６の前端部の上壁において、受入部４１の前側に設けられている。係合部４０は、受入部４１よりも前側の上壁の後端縁から下側へ延びる位置決め部の一例としての第１壁４２と、第１壁４２の下端縁から前側へ延びる第２位置決め部の一例としての第２壁４３とを一体的に備えている。
【００７８】
ガイド部３７は、図５に示すように、支持部材収容部３６の下側に配置されている。ガイド部３７は、受入部４１の下端部に連続して後下側へ延び、開放端部の一例としての上端部４９が上側へ開放された側面視略Ｕ字形状に貫通形成されている。ガイド部３７は、第１ガイド部４４と第２ガイド部４５とを一体的に備えている。
【００７９】
第１ガイド部４４は、ガイド部３７の上側半分である。第１ガイド部４４の溝幅は、紙粉除去ユニット３２の後述する軸受部５２の前後方向長さよりも長い。
【００８０】
第２ガイド部４５は、ガイド部３７の下側半分である。第２ガイド部４５の溝幅は、第１ガイド部４４の溝幅よりもわずかに短く、紙粉除去ユニット３２の後述する軸受部５２の前後方向長さよりもわずかに長い。
【００８１】
レジストローラ２４は、ガイド部３７の後下側において、１対のサイドフレーム３４間に配置されている。レジストローラ２４の左右方向両端部のそれぞれは、１対のサイドフレーム３４のそれぞれの側板３０に、回転可能に支持されている。
【００８２】
ボス支持部３８は、ガイド部３７の前側に配置されている。ボス支持部３８は、側板３０の前端部から後側へ凹むように、側面視略Ｖ字形状の凹溝として形成されている。
【００８３】
搬送フレーム３５は、ガイド部３７およびボス支持部３８の下側において、１対のサイドフレーム３４間に架設されている。搬送フレーム３５は、左右方向に延びる略角柱形状に形成されている。搬送フレーム３５には、図１に示すように、搬送経路の一例としての搬送パス４６が形成されている。
【００８４】
搬送パス４６は、搬送フレーム３５の前後方向略中央において、上下方向に延び、上側へ向かうに従って後側へ湾曲するように貫通形成されている。搬送パス４６の上端部は、レジストローラ２４の上端部に対向している。
（２）紙粉除去ユニット
紙粉除去ユニット３２は、図２および図４に示すように、１対のサイドフレーム３４の上端部間に配置されている。紙粉除去ユニット３２は、紙粉収容部５１と、紙粉除去ローラ２５とを備えている。
【００８５】
紙粉収容部５１は、左右方向に延びる略ボックス形状に形成されている。紙粉収容部５１は、軸受部５２と、支持ボス５３とを備えている。
【００８６】
軸受部５２は、紙粉収容部５１の左右方向外壁の後下側端部を貫通して紙粉収容部５１の左右方向外壁から左右方向外側へ突出するように、略円筒形状に形成されている。軸受部５２は、受け部５４を備えている。
【００８７】
受け部５４は、軸受部５２の上端部に設けられ、前後左右に延びる略平板形状に形成されている。受け部５４は、係合ボス５５を備えている。
【００８８】
係合ボス５５は、受け部５４の上面から上側へ向かって突出する平面視略十字形状に形成されている。
【００８９】
支持ボス５３は、紙粉収容部５１の左右方向外壁の前下側端部から左右方向外側へ突出する略円筒形状に形成されている。
【００９０】
紙粉除去ローラ２５は、図１に示すように、紙粉収容部５１の後端部内に支持されている。紙粉除去ローラ２５は、ローラ軸２５Ａと、ローラ本体２５Ｂとを備えている。
【００９１】
ローラ軸２５Ａは、金属から左右方向に延びる略円柱形状に形成されている。
【００９２】
ローラ本体２５Ｂは、硬質の樹脂材料などから、左右方向に延びる略円筒形状に形成され、ローラ軸２５Ａの左右方向両端部を露出するように、ローラ軸２５Ａを被覆している。なお、ローラ本体２５Ｂは、用紙Ｐの全幅に接触するように、感光ドラム１１の画像形成領域の左右方向長さよりも長く形成されている。
【００９３】
そして、紙粉除去ローラ２５は、図４に示すように、ローラ軸２５Ａの左右方向外側端部が紙粉収容部５１の軸受部５２に左右方向内側から挿通されるように、紙粉収容部５１の後下側端部内に配置されている。
【００９４】
また、紙粉除去ユニット３２は、図２および図３に示すように、軸受部５２が、側板３０の第２ガイド部４５の下端部内に嵌合され、支持ボス５３が、側板３０のボス支持部３８内に嵌合されることにより、１対のサイドフレーム３４の上端部間に支持されている。この状態において、紙粉除去ローラ２５は、レジストローラ２４に前上側から接触されている。
（３）押圧部材
押圧部材３３は、図３および図６に示すように、支持部材６１と、付勢部材の一例としての圧縮ばね６２とを備えている。
【００９５】
支持部材６１は、図３および図７に示すように、前後方向に延びる平面視略矩形の平板形状に形成されている。支持部材６１は、下壁６４と、左右１対の側壁６３と、前壁６５と、後壁６６とを備えている。
【００９６】
下壁６４は、前後方向に延びる略平板形状に形成されている。詳しくは、下壁６４の前側半分６４Ａは、前後方向に沿って延びている。また、下壁６４の後側半分６４Ｂは、前側半分６４Ａの後端部から連続して後上側へ傾斜するように延びている。また、下壁６４は、前後１対の係合突起７０と、第３当接部の一例としての嵌合突部７１とを備えている。
【００９７】
１対の係合突起７０のそれぞれは、下壁６４の後側半分６４Ｂの下面から後下側へ向かって延びる略角柱形状に形成されている。
【００９８】
嵌合突部７１は、下壁６４の後端部から後下側へ延び、その下端部において後側へ屈曲して後側へ延びる略屈曲平板形状に形成されている。
【００９９】
１対の側壁６３のそれぞれは、下壁６４の左右方向両端部のそれぞれから上側へ延びる側面視略矩形の平板形状に形成されている。側壁６３は、当接部の一例としての当接突起６７と、凹部の一例としての受入凹部６８とを有している。
【０１００】
当接突起６７は、下壁６４の前側半分６４Ａの後端部の上側において、側壁６３の上端縁から前上側へ向かって突出するように側面視略三角形状に形成されている。すなわち、前上側は、当接突起６７の突出方向の一例である。当接突起６７の当接面の一例としての前面６９は、上下方向に沿って延びている。すなわち、上下方向は、前面６９が延びる方向の一例である。つまり、前面６９は、突出方向の一例としての前上側へ向かう方向と交差する方向に延びている。
【０１０１】
受入凹部６８は、当接突起６７の前側に配置されている。受入凹部６８は、当接突起６７の前面６９に連続して側壁６３の上面から下側へ向かって凹むように切り欠かれ、上端部が開放された側面視略Ｕ字形状に形成されている。すなわち、受入凹部６８は、当接突起６７と、側壁６３の当接突起６７よりも前側の部分７５との境界部分に形成されている。
【０１０２】
前壁６５は、下壁６４の前端部から上側へ向かって、側壁６３よりも上側へ延びる略平板形状に形成されている。
【０１０３】
後壁６６は、嵌合突部７１の前側において、下壁６４の後端部から上側へ向かって延びる略平板形状に形成されている。
【０１０４】
また、支持部材６１は、弾性部７２を備えている。
【０１０５】
弾性部７２は、前壁６５の上端部から下壁６４の前端部にわたって連続的に、断面視略Ｌ字形状の屈曲板形状に形成されている。詳しくは、弾性部７２は、前壁６５の上端部から下壁６４の前端部にわたって連続的に形成される底面視略Ｕ字形状の切欠き７３の内側に区画され、前壁６５の上端部から下側へ向かって延び、その下端部において後側へ屈曲されて後側へ延びている。弾性部７２は、突出部７４を備えている。
【０１０６】
突出部７４は、弾性部７２の後端部に配置されている。突出部７４は、弾性部７２の下面から下側へ膨出する略半球形状に形成されている。
【０１０７】
そして、支持部材６１は、その嵌合突部７１が、支持部材収容部３６の嵌合部３９内に嵌合され、その当接突起６７が、支持部材収容部３６の係合部４０に後側から対向されるように、支持部材収容部３６内に嵌合されている。この状態において、支持部材６１の下壁６４の後側半分６４Ｂは、ガイド部３７の上端部４９を覆うように、ガイド部３７の上側に対向されている。
【０１０８】
そして、圧縮ばね６２は、その上端部が、１対の係合突起７０を受け入れるように支持部材６１の下壁６４の後側半分６４Ｂに係合され、その下端部が、係合ボス５５を受け入れるように紙粉収容部５１の受け部５４に係合されている。これにより、紙粉除去ローラ２５は、レジストローラ２４に向かって付勢されている。
【０１０９】
この状態において、支持部材６１の嵌合突部７１は、支持部材収容部３６の嵌合部３９の上側内周面４７に当接され、上下方向に位置決めされている。すなわち、嵌合部３９の上側内周面４７は、第３位置決め部の一例である。
【０１１０】
また、支持部材６１の前端部は、当接突起６７が係合部４０に引っ掛かることにより、上下方向および前後方向に位置決めされている。詳しくは、当接突起６７は、その前面６９において、係合部４０の第１壁４２に後側から当接されている。また、支持部材６１の側壁６３は、当接突起６７よりも前側の部分７５において、係合部４０の第２壁４３に下側から当接されている。なお、以下の説明において、側壁６３のうち、当接突起６７よりも前側の部分７５を、当接部分７５と記載する。当接部分７５は、第２当接部の一例である。
【０１１１】
また、支持部材６１の突出部７４は、支持部材収容部３６の下側内周面に対して、わずかに間隔を隔てて上側から対向している。
３．給紙ユニットの組み立て
給紙ユニット９を組み立てるには、図４に示すように、まず、フレーム３１に紙粉除去ユニット３２を組み付ける。
【０１１２】
フレーム３１に紙粉除去ユニット３２を組み付けるには、紙粉除去ユニット３２を、フレーム３１の上側においてフレーム３１に対して略水平に配置する。
【０１１３】
そして、紙粉除去ユニット３２を、フレーム３１に対して略水平に保持した状態で、その軸受部５２が、支持部材収容部３６の受入部４１内に嵌合され、その支持ボス５３が支持部材収容部３６の前側を通過するように、１対のサイドフレーム３４間に挿入する。
【０１１４】
その後、紙粉除去ユニット３２を下側へ向かって押し込む。すると、紙粉除去ユニット３２は、その軸受部５２において支持部材収容部３６のガイド部３７に案内されながら、紙粉除去ローラ２５がレジストローラ２４に当接するまで、後下側へ移動する。すなわち、前上側から後下側へ向かう方向は、案内方向の一例である。また、前上側が案内方向上流側の一例であり、後下側が案内方向下流側の一例である。
【０１１５】
そして、図６に示すように、紙粉除去ローラ２５がレジストローラ２４に当接し、支持ボス５３がボス支持部３８内に嵌合されると、フレーム３１に対する紙粉除去ユニット３２の組み付けが完了する。
【０１１６】
次いで、給紙ユニット９を組み立てるには、フレーム３１に支持部材６１を組み付ける。
【０１１７】
フレーム３１に支持部材６１を組み付けるには、まず、図８Ａに示すように、支持部材６１を、その後端部から、支持部材収容部３６の挿入開口４８内に挿入する。
【０１１８】
すると、支持部材６１の当接突起６７は、支持部材収容部３６の係合部４０の第２壁４３に前側から当接する。
【０１１９】
次いで、フレーム３１に支持部材６１を組み付けるには、図８Ｂに示すように、支持部材６１を、弾性部７２を撓ませるように支持部材収容部３６の下側内周面に押し付けながら、さらに、支持部材収容部３６内に向かって後側へ押し込む。
【０１２０】
すると、支持部材６１は、当接突起６７が第２壁４３の下側を後側へ向かって通過するように、後側へ移動する。これにより、支持部材６１の嵌合突部７１は、支持部材収容部３６の嵌合部３９内に挿入される。
【０１２１】
そして、図８Ｃに示すように、当接突起６７が係合部４０よりも後側に配置されると、弾性部７２が復元し、その分、支持部材６１がわずかに上側へ移動する。これにより、当接突起６７が、係合部４０の第１壁４２に対して後側から対向される。
【０１２２】
これにより、フレーム３１に対する支持部材６１の組み付けが完了する。
【０１２３】
次いで、給紙ユニット９を組み立てるには、図９に示すように、フレーム３１に圧縮ばね６２を組み付ける。
【０１２４】
フレーム３１に圧縮ばね６２を組み付けるには、圧縮ばね６２を、サイドフレーム３４の側板３０の左右方向外側に配置し、その一端部が、支持部材６１の下壁６４の後側半分６４Ｂに係合され、その他端部が、紙粉収容部５１の受け部５４に係合されるように、ガイド部３７内に左右方向外側から嵌合させる。
【０１２５】
これにより、フレーム３１に対して圧縮ばね６２が組み付けられ、支持部材６１が前上側へ押圧される。
【０１２６】
これにより、図３に示すように、当接突起６７が係合部４０の第１壁４２に対して後側から押し付けられる。また、当接部分７５が、係合部４０の第２壁４３に対して下側から押し付けられる。また、嵌合突部７１が、嵌合部３９の上側内周面４７に対して下側から押し付けされる。
【０１２７】
このように、支持部材収容部３６内において、支持部材６１が位置決めされ、給紙ユニット９の組み立てが完了する。
４．作用効果
（１）このプリンタ１によれば、図４に示すように、紙粉除去ローラ２５をレジストローラ２４に案内するガイド部３７の上端部は、上側へ開放されるとともに、支持部材収容部３６の受入部４１に連続されている。
【０１２８】
そのため、紙粉除去ユニット３２をフレーム３１に組み付けるときには、紙粉除去ユニット３２をフレーム３１に対して水平に保持した状態で、紙粉除去ローラ２５の左右方向両端部のそれぞれを、１対のサイドフレーム３４のそれぞれのガイド部３７に、上側から受け入れることができる。
【０１２９】
そして、紙粉除去ローラ２５をレジストローラ２４に対向させた後に、支持部材６１を、ガイド部３７の上端部を覆うように支持部材収容部３６に組み付ける。
【０１３０】
つまり、紙粉除去ユニット３２を、ガイド部３７の上端部および支持部材収容部３６の受入部４１を利用して、容易にガイド部３７内に受け入れて、レジストローラ２４に対向させることができる。
【０１３１】
その結果、紙粉除去ユニット３２をフレーム３１に対して円滑に組み付けることができる。
（２）このプリンタ１によれば、図３に示すように、支持部材６１の当接突起６７を支持部材収容部３６の係合部４０の第１壁４２に後側から当接させて、前後方向において、支持部材６１を位置決めすることができる。
【０１３２】
そのため、前後方向において支持部材６１ががたつくことを抑制することができる。
【０１３３】
その結果、圧縮ばね６２を紙粉除去ローラ２５に対して確実に位置決めすることができ、圧縮ばね６２によって紙粉除去ローラ２５を確実に付勢することができる。
（３）このプリンタ１によれば、図３に示すように、支持部材６１の当接部分７５を、支持部材収容部３６の係合部４０の第１壁４２に下側から当接させて、上下方向において、支持部材６１を位置決めすることができる。
【０１３４】
そのため、上下方向において支持部材６１ががたつくことを抑制することができる。
【０１３５】
その結果、圧縮ばね６２を紙粉除去ローラ２５に対してより確実に位置決めすることができ、圧縮ばね６２によって紙粉除去ローラ２５をより確実に付勢することができる。
（４）このプリンタ１によれば、図３に示すように、係合部４０は、第１壁４２と第２壁４３とが略直角に連続するように構成されている。
【０１３６】
一般に、このように連続した部分を略直角に精度よく形成することは困難であるため、支持部材６１を支持部材収容部３６に対して位置決めするときに、第１壁４２と第２壁４３との連続部分が、当接部分７５と当接突起６７との境界部分に干渉する場合がある。第１壁４２と第２壁４３との連続部分が、当接部分７５と当接突起６７との境界部分に干渉すると、第１壁に対する当接突起６７の当接と、第２壁４３に対する当接部分７５の当接とを同時に実現することが困難となる場合がある。
【０１３７】
しかし、この支持部材６１には、当接部分７５と、当接突起６７との境界部分において、受入凹部６８が形成されている。
【０１３８】
そのため、支持部材６１を支持部材収容部３６に対して位置決めするときに、第１壁４２と第２壁４３との連続部分を受入凹部６８内に受け入れることができ、第１壁４２と第２壁４３との連続部分が、当接部分７５と、当接突起６７との境界部分に干渉することを抑制できる。
【０１３９】
これにより、第１壁に対する当接突起６７の当接と、第２壁４３に対する当接部分７５の当接とを同時に実現することができる。
【０１４０】
その結果、支持部材６１を支持部材収容部３６に対して精度よく位置決めすることができる。
（５）このプリンタ１によれば、支持部材６１の嵌合突部７１を支持部材収容部３６の嵌合部３９の上側内周面に当接させて、上下方向において、さらに支持部材６１を位置決めすることができる。
【０１４１】
そのため、上下方向において支持部材６１ががたつくことを、より抑制することができる。
【０１４２】
その結果、圧縮ばね６２を紙粉除去ローラ２５に対してより一層確実に位置決めすることができ、圧縮ばね６２によって紙粉除去ローラ２５をより一層確実に付勢することができる。
（６）このプリンタ１によれば、図６に示すように、支持部材収容部３６の前端部には、支持部材６１が挿入される挿入開口４８が形成されている。
【０１４３】
そのため、支持部材６１を、挿入開口４８を介して容易に支持部材収容部３６内に挿入することができる。
（７）このプリンタ１によれば、図７Ｂに示すように、支持部材６１は、下端部において、下側へ突出する突出部７４を有する弾性部７２を備えている。
【０１４４】
そのため、支持部材６１を支持部材収容部３６内に挿入するときに、図８Ｂに示すように、突出部７４を有する弾性部７２を弾性変形させながら挿入開口４８に挿入し、図８Ｃに示すように、支持部材６１が支持部材収容部３６内に挿入された後に、突出部７４を有する弾性部７２を弾性的に復元させることができる。
【０１４５】
その結果、支持部材６１が支持部材収容部３６内に挿入された後には、突出部７４を挿入開口４８の下側内周面に干渉させるとともに、当接突起６７を係合部４０に干渉させて、支持部材６１が支持部材収容部３６から離脱することを防止できる。
（８）このプリンタ１によれば、図３に示すように、紙粉除去ユニット３２の軸受部５２をガイド部３７内に受け入れるときに、比較的幅広な第１ガイド部４４に対して円滑に受け入れることができる。
【０１４６】
その後、紙粉除去ユニット３２の軸受部５２を、第１ガイド部４４に沿って、比較的幅狭な第２ガイド部４５に受け入れて、紙粉除去ローラ２５をレジストローラ２４に対して位置決めすることができる。
【０１４７】
その結果、紙粉除去ローラ２５をガイド部３７内に円滑に受け入れることができながら、紙粉除去ローラ２５をレジストローラ２４に対して確実に位置決めすることができる。
（９）このプリンタ１によれば、図１および図４に示すように、ガイド部３７と搬送パス４６とがともにフレーム３１に設けられているので、紙粉除去ローラ２５を搬送パス４６に対して精度よく位置決めすることができる。
５．第２実施形態
図１０〜図１３を参照して、プリンタ１の第２実施形態を説明する。なお、第２実施形態において、上記した第１実施形態と同様の部材には、同じ符号を付し、その説明を省略する。
（１）第２実施形態の概要
上記した第１実施形態では、支持部材６１の当接部分７５を、係合部４０の第２壁４３に当接させることにより、支持部材６１の前端部を上下方向に位置決めしている。
【０１４８】
対して、第２実施形態では、図１０および図１１に示すように、支持部材６１の当接部分７５を、トップカバー４に連動して揺動するリンク部材８２で押圧することにより、支持部材６１の前端部を上下方向に位置決めする。
（２）第２実施形態の構成
第２実施形態では、トップカバー４は、図１０に示すように、連動機構の一例としての作用部８１を備えている。
【０１４９】
作用部８１は、トップカバー４の前側下端部から下側へ延びる背面視略矩形の平板形状に形成されている。作用部８１は、カバー側係合部８４を備えている。
【０１５０】
カバー側係合部８４は、作用部８１の下端部から左右方向外側へ突出する背面視略三角形状に形成されている。
【０１５１】
また、本体ケーシング２内には、作用部８１との当接によって揺動して支持部材６１を押圧または押圧解除する移動部材の一例としてのリンク部材８２が設けられている。
【０１５２】
リンク部材８２は、作用部８１の左右方向外側、かつ、給紙ユニット９の上側に配置されている。リンク部材８２は、上下方向に延び、その下端部において左右方向外側へ屈曲する背面視略Ｌ字形状に形成されている。リンク部材８２は、リンク側係合部８５と、回動軸８６と、押圧部８７とを備えている。
【０１５３】
リンク側係合部８５は、リンク部材８２の上端部から左右方向内側へ突出する背面視略三角形状に形成されている。
【０１５４】
回動軸８６は、リンク部材８２の屈曲部分に設けられ、本体ケーシング２内において回動可能に支持されている。
【０１５５】
押圧部８７は、リンク部材８２の左右方向外側端部に設けられ、支持部材収容部３６の受入部４１の上側に対向配置されている。
【０１５６】
そして、リンク部材８２は、その回動軸８６を支点として、押圧部８７が支持部材６１に当接する当接位置と、押圧部８７が支持部材６１から上側へ離間する解除位置とに揺動可能である。なお、リンク部材８２の押圧位置を図１０に示し、リンク部材８２の解除位置を図１２に示す。また、リンク部材８２は、その上端部に係止される圧縮ばね８３によって、常には、回動軸８６を支点としてその上端部が左右方向内側へ向かうように、すなわち、解除位置へ向かって付勢されている。
（３）給紙ユニットの動作
（３−１）トップカバー閉鎖時
上記した画像形成動作時や画像形成動作の待機時など、トップカバー４が閉鎖されるときには、図１０に示すように、リンク部材８２の上端部に、トップカバー４の作用部８１の下端部が左右方向内側から当接され、リンク部材８２が、圧縮ばね８３の付勢力に抗して当接位置に配置される。
【０１５７】
すると、図１１に示すように、リンク部材８２の押圧部８７が支持部材６１の前端部に当接し、支持部材６１の前端部が下側へ向かって移動される。
【０１５８】
これにより、支持部材６１によって圧縮ばね６２が圧縮され、紙粉除去ローラ２５がレジストローラ２４に対して圧接される。
（３−２）トップカバー開放時
また、画像形成動作において用紙Ｐが紙粉除去ローラ２５とレジストローラ２４との間に詰まった場合など、トップカバー４が開放されると、図１２に示すように、リンク部材８２に対する作用部８１の当接が解除され、リンク部材８２が、圧縮ばね８３の付勢力により解除位置に配置される。
【０１５９】
すると、図１３に示すように、リンク部材８２の押圧部８７が支持部材６１の前端部から離間し、支持部材６１の前端部が上側へ向かって移動される。
【０１６０】
これにより、支持部材６１が移動した分、支持部材６１による圧縮ばね６２の圧縮が解除され、紙粉除去ローラ２５のレジストローラ２４に対する押圧力が低減される。
（４）作用効果
（４−１）第２実施形態のプリンタ１によれば、図１０および図１１に示すように、トップカバーの閉動作に連動して支持部材６１をレジストローラ２４に向かって下側へ移動させて、圧縮ばね６２の付勢力によって紙粉除去ローラ２５をレジストローラ２４に対して圧接することができる。
【０１６１】
そのため、画像形成動作において、用紙Ｐを確実に搬送することができる。
【０１６２】
また、図１２および図１３に示すように、トップカバー４の開動作に連動して支持部材６１をレジストローラ２４から退避させて、紙粉除去ローラ２５に対する圧縮ばね６２の付勢力を低減し、紙粉除去ローラ２５のレジストローラ２４に対する押圧力を低減することができる。
【０１６３】
そのため、紙粉除去ローラ２５のレジストローラ２４との間に用紙Ｐが詰まった場合に、本体開口部３を開放して、詰まった用紙Ｐを容易に除去できる。
（４−２）また、第２実施形態のプリンタ１によれば、トップカバー４に作用部８１を設けるという簡易な構成で、トップカバー４とリンク部材８２とを確実に連動させることができる。
（４−３）また、第２実施形態においても、上記した第１実施形態と同様の作用効果を得ることができる。
【符号の説明】
【０１６４】
１      プリンタ
２      本体ケーシング
３      本体開口部
４      トップカバー
５      プロセスユニット
９      給紙ユニット
２４    レジストローラ
２５    紙粉除去ローラ
３１    フレーム
３６    支持部材収容部
３７    ガイド部
４２    第１壁
４３    第２壁
４４    第１ガイド部
４５    第２ガイド部
４６    搬送パス
４７    嵌合部の上側内周面
４８    開口
６１    支持部材
６２    圧縮ばね
６７    当接突起
６８    受入凹部
６９    当接突起の前面
７１    嵌合突部
７４    突出部
７５    当接部分
８１    作用部
８２    リンク部材
Ｐ      用紙
【図１】
2014145997.tif 000003
【図２】
2014145997.tif 000004
【図３】
2014145997.tif 000005
【図４】
2014145997.tif 000006
【図５】
2014145997.tif 000007
【図６】
2014145997.tif 000008
【図７】
2014145997.tif 000009
【図８】
2014145997.tif 000010
【図９】
2014145997.tif 000011
【図１０】
2014145997.tif 000012
【図１１】
2014145997.tif 000013
【図１２】
2014145997.tif 000014
【図１３】
2014145997.tif 000015